(57)【要約】      （修正有）【課題】ヒールを履いた際の足の疲れを予防するべく、嵩張らず、持ち運びに便利となる軽量で安価な携帯用靴を考案すること。当該靴は安価で軽量であるため、各家庭に常備することが容易となるが、常備することにより、災害時にも大きく寄与するものとなることを課題とする。【解決手段】ゴム製の厚底に、ビニールコーティングされた伸縮性のある布を縫い付ける。布の後ろの部分はファスナーがついており、脱着が容易となっている。布は伸縮性のある薄手の布である為、折りたたみが可能であり持ち運びも容易である。【選択図】図６
0003125782.tif 000002
【実用新案登録請求の範囲】
【請求項１】
従来の概念にない、ヒール等の長時間利用により疲労した足を開放する代替靴、且つ非常用の常備靴となる、両機能を備えた靴を提案。下記特徴をもつ。
軽く、携帯可能。底板部分に合わせ、布部分は折り畳みが可能。総重量２５０グラム。材料が安価である為、靴のコストも低価格に設定できる。災害用の常備品として、各家庭に備えることが可能。スパンコール、レース等により、ファッショナブルのアイテムとしても利用可能とする。
【考案の詳細な説明】
【技術分野】
【０００１】本考案は、携帯用、非常時用に使用出来る、軽くコンパクトな持ち運び易い靴に関するものである。
【技術背景】
【０００２】靴については、様々な形のものが市場に出回っている。
【考案の開示】
【０００３】
【０００４】女性の社会進出とともに、女性の外反母趾患者が増加していると言われている。当該現象は、通勤ラッシュ時に高いヒールの靴を履いたままの通勤を余儀なくされていること等が原因していると考えらる。昨今、スニーカーで通勤、会社にてヒールに履き替えるという方も多いと聞いているが、スニーカーは以外と嵩張り、バックに入らず手持ちするのが面倒との声も多いのが現状である。よって、嵩張らず、持ち運びに便利且つ軽量で、安価な靴があると社会的な需要が高いと考える。
そのような発想のもと、本考案をを作成したところ、安価で軽量な靴であるという観点から、災害用の靴として、各家庭に常備、枕下に非常用の靴として具備しておくのも適当ではないかと発想も生まれた。スリッパ等に比し、足全体を守ることが出来る為、安全性が増す。
よってここに、女性の通勤用携帯用として、又災害用として、両者を兼ね備えた、携帯・軽量・安価な靴を考案する。
【考案を解決するための手段・効果】
【０００５】本考案は、上記の発想に基づき提案するものである。現状市販されていない、規制概念にとらわれない独自の発想として、厚底のゴム底に、ビニールコーティングされた伸縮性の高い布を縫い付け、靴とした簡易な靴を提供することを課題とする。
【考案を実施するための最良の形態】軽い布、安価な靴底を使用する。デザイン性にも優れ、ファスナーにより脱着も容易であり携帯にも支障のない形態とする。
【実施例】
【０００６】靴底
厚いゴム製の靴底を利用。安価であり、且つ厚底の為、通勤時の足の疲れを取り、又災害時にも瓦礫等の障害から足を充分に守ることが可能となる。【０００７】布、素材
ビニールコーティングを施した、伸縮性のある布を利用。靴底に軽く縫い付け、ボンド等で固定する。又、ブーツのように足を包むことを想定しているので、後ろの部分は、脱着し易いようにファスナーをつける。【０００８】携帯性
携帯出来ることを大きな目的としている為、軽量であることが大きな条件となっている。ゴム底、軽量の布であるということで、非常に軽量であり（２５０ｇ）、ショルダーバック等に入れての携帯が可能となる。側面の布は伸縮性があり柔らかいため、底板に折りたたむことが可能。【０００９】デザイン性
女性の使用が見込まれることから、スパンコール、レース等での飾りも施す。【００１０】収納袋
携帯での持ち運び、非常用の常備靴として用意されることに鑑み、収納用の袋も用意する。
【図面の簡単な説明】
【００１１】
【図１】足を包む布を裁断２枚  イ  縫合する本体部分。ロ  ファスナーをつける。ハ  後に靴底と縫合。
【図２】イとロを縫合した図。ロの部分にはファスナーを取り付け。
【図３】靴底になる厚ゴム板。２枚用意。
【図４】図３の側面図。靴底は２枚重ね。
【図５】図２と図４を縫合した図。靴本体の布は２枚の靴底の間に差し込み縫合。更にボンド等で糊付け。
【図６】底板と側面布を取りつけた全体図を斜めからみた場合。
【図７】後ろからの図。脱着し易いように、ファスナーを取りつけ。
【図８】側面の布は柔らかく伸縮性があるため、折りたたむことが可能。折りたたみ途中。
【図９】折りたたんだ時の図。
【図１】
0003125782.tif 000003
【図２】
0003125782.tif 000004
【図３】
0003125782.tif 000005
【図４】
0003125782.tif 000006
【図５】
0003125782.tif 000007
【図６】
0003125782.tif 000008
【図７】
0003125782.tif 000009
【図８】
0003125782.tif 000010
【図９】
0003125782.tif 000011
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
ゴム製の靴底と、前記靴底の周縁に固定され、足を包む布とを備え、
前記布の背面側には、前記布を左右に分離して背面側から足を挿入可能にするファスナーが取り付けられていることを特徴とする携帯靴。
【手続補正２】
【補正対象書類名】明細書
【補正対象項目名】全文
【補正方法】変更
【補正の内容】
【考案の詳細な説明】
【技術分野】
【０００１】
本考案は、携帯用、非常時用に使用出来る、軽くコンパクトな持ち運び易い靴に関するものである。
【背景技術】
【０００２】
靴については、様々な形のものが市場に出回っている。
【考案の開示】
【考案が解決しようとする課題】
【０００３】
女性の社会進出とともに、女性の外反母趾患者が増加していると言われる。当該現象は通勤ラッシュ時に高いヒールの靴を履いたままの通勤を余儀なくされていること等が原因していると考えられる。昨今、スニーカーで通勤、会社にてヒールに履き替えるという方も多いと聞いているが、スニーカーは以外と嵩張りバックに入らず手持ちするのが面倒との声も多いのが現状である。よって、嵩張らず、持ち運びに便利且つ軽量で、安価な靴があると社会的な需要が高いと考える。
【０００４】
また、安価で軽量な靴であるという観点から、災害用の靴として、各家庭に常備、枕下に非常用の靴として具備しておくのも適当であり、スリッパ等に比し、足全体を守ることが出来る為、安全性が増す。
【０００５】
本考案は上記課題に鑑みてなされたものであり、その主たる目的は、女性の通勤用携帯用として、又災害用として、両者を兼ね備えた、携帯・軽量・安価な靴を提供することにある。
【課題を解決するための手段】
【０００６】
上記目的を達成するため、本考案は、ゴム製の靴底と、前記靴底の周縁に固定され、足を包む布とを備え、前記布の背面側には、前記布を左右に分離して背面側から足を挿入可能にするファスナーが取り付けられているものである。
【考案の効果】
【０００７】
本考案によれば、厚いゴム製の靴底に布を固定し、かつ、布の後ろの部分に足を後ろ側から着脱可能にするためのファスナーを設けているため、携帯用として、又災害用として、両者を兼ね備えた、携帯・軽量・安価な靴を実現することができる。
【考案を実施するための最良の形態】
【０００８】
現状市販されていない、既成概念にとらわれない独自の発想として、厚底のゴム底に、ビニールコーティングされた伸縮性の高い布を縫い付けることにより、デザイン性にも優れ、ファスナーにより脱着も容易であり携帯にも支障のない簡易な靴を提案する。
【実施例】
【０００９】
本実施例の携帯靴は、靴底と、背面にファスナーを備えた足を包む布とで構成される。以下、本実施例の携帯靴の特徴部分について説明する。
【００１０】
［靴底］
図３及び図４に示すように、厚いゴム製の靴底３を利用する。安価であり、且つ厚底の為、通勤時の足の疲れを取り、又災害時にも瓦礫等の障害から足を充分に守ることが可能となる。
【００１１】
［布、素材］
図１に示すように、ビニールコーティングを施した、伸縮性のある布１を利用する。又、ブーツのように足を包むことを想定しているので、図２示すように、後ろの部分は、着脱し易いようにファスナー２をつける。そして、図５〜図７に示すように、靴底に軽く縫い付け、ボンド等で固定する。
【００１２】
［携帯性］
携帯出来ることを大きな目的としている為、軽量であることが大きな条件となっている。ゴム底、軽量の布であるということで、非常に軽量であり、（２５０ｇ）、ショルダーバック等に入れての携帯が可能となる。また、図８、９に示すように、側面の布は伸縮性があり柔らかいため、底板に折りたたむことが可能。
【００１３】
［デザイン性］
女性の使用が見込まれることから、スパンコール、レース等での飾りも施す。
【００１４】
［収納袋］
携帯での持ち運び、非常用の常備靴として用意されることに鑑み、収納用の袋も用意する。
【産業上の利用可能性】
【００１５】
本考案は、携帯用の靴に利用可能である。
【図面の簡単な説明】
【００１６】
【図１】本考案の一実施例に係る携帯靴を構成する布を示す平面図である。
【図２】本考案の一実施例に係る携帯靴を構成する布を縫合した状態を示す図である。
【図３】本考案の一実施例に係る携帯靴を構成する靴底を示す平面図である。
【図４】図３の靴底の側面図である。
【図５】本考案の一実施例に係る携帯靴の構成を示す図である。
【図６】本考案の一実施例に係る携帯靴を斜めから見た図である。
【図７】本考案の一実施例に係る携帯靴を後ろから見た図である。
【図８】本考案の一実施例に係る携帯靴の折りたたみ途中を示す図である。
【図９】本考案の一実施例に係る携帯靴の折りたたんだ状態を示す図である。
【符号の説明】
【００１７】
１  布
２  ファスナー
３  靴底
【手続補正３】
【補正対象書類名】図面
【補正対象項目名】全図
【補正方法】変更
【補正の内容】
【図１】
0003125782.tif 000012
【図２】
0003125782.tif 000013
【図３】
0003125782.tif 000014
【図４】
0003125782.tif 000015
【図５】
0003125782.tif 000016
【図６】
0003125782.tif 000017
【図７】
0003125782.tif 000018
【図８】
0003125782.tif 000019
【図９】
0003125782.tif 000020